(57)【要約】【課題】本願床材敷設具は、家屋のベランダ、テラス、庭内の散歩道或いは渡り廊下などに木製又は合成木材製の床材を簡単かつ綺麗にワンタッチで形成できるとともに、床材の浮きを規制し、かつ床材の長さ方向への滑りを確実に規制できるようにしたものである。【解決手段】本発明は、左右縁に上向き突子を連続して設け、底部上面の等配位置に、頭部寄り前後面にバネ性を有する下向き突片を備えた扁平状の立部材を立設してなる長尺板材を、平行設置した枠部材の各上面に前記立部材が同一線上に並ぶように固定し、該立部材間に扁平長尺な床材をその側面に前記立部材の下向き突片が食い込むように嵌入したことを特徴とし、床材はワンタッチにて敷設できる。また、床材の側面には前記立部材の頭部寄り前後面に設けた下向き突片が食い込んで浮き上がりを確実に防止できる。さらに、床材は長尺板材の左右縁に設けた上向き突子により長さ方向へのすべりを確実に防止できるように構成した。【選択図】図１
2015042826.tif 000002
【特許請求の範囲】
【請求項１】
左右縁に上向き突子を連続して設け、底部上面の等配位置に、頭部寄り前後面にバネ性を有する下向き突片を備えた扁平状の立部材を立設してなる長尺板材を、平行設置した枠部材の各上面に前記立部材が同一線上に並ぶように固定し、該立部材間に扁平長尺な床材をその側面に前記立部材の下向き突片が食い込むように嵌入したことを特徴とする床材敷設具。
【請求項２】
前記立部材が、バネ性を有する金属板を逆Ｕ字状に曲げ、両端部に外側に屈曲した足を設け、該足を前記長尺板材の底部に設けた透孔に係止したものであることを特徴とする請求項１に記載の床材敷設具。
【発明の詳細な説明】
【技術分野】
【０００１】
本発明は、家屋のベランダ、テラス、庭内の散歩道或いは渡り廊下などに木製又は合成木材製の扁平長尺な床材を簡単かつ綺麗に敷きつめて快適空間を作製できるようにした床材敷設具に関するものである。
【背景技術】
【０００２】
一般に、家屋のベランダ、テラス、庭内の散歩道或いは渡り廊下などに木製又は合成木材製の床を敷設する場合、敷設面に枠部材を平行設置し、その枠材上に床材を並べ、該床材を枠部材にビス（あるいは釘）で止着していた。したがって、床材の上面にビスや釘が見えることから美観が損なわれていたし、ビスが緩んで浮き上がり、釘が頭を出すことによりつまずきの原因になった。
【０００３】
そこで、ビスや釘を床面に現わさない床敷設構造として、特開２００２−１６１６３２号公報が開示されている。これは、図８に示したように、角筒状の枠材８１の上面に長さ方向に沿って割溝８２を設け、該割溝８２を通した軸杆８３の上下部に拡大板８４、８４′を設け、該軸杆８３の上側に設けた拡大板８４の両側端縁から、床材８５の左右に設けた凹溝８６を係合させていた（図では手前側の床材は省略）。
【特許文献１】特開２００２−１６１６３２号公報
【発明の開示】
【発明が解決しようとする課題】
【０００４】
しかしながら、上記特許文献１に記載のものは、角筒状の枠材８１の上面に長さ方向に沿って設けた割溝８２に嵌合している軸杆８３は、その上下部に設けた拡大板８４、８４′とともに移動してしまうため、この拡大板８４の両側端縁側から床材８５の凹溝８６を嵌合させる作業は困難であり、敷設作業に多大な労力と時間が伴ったし、敷詰めた床材８５は、拡大板８４の両側端縁側に凹溝８６を介して嵌合しているため、矢印方向に沿って滑り動くことは全く規制できず、危険を伴った。
【課題を解決するための手段】
【０００５】
本発明は、上記問題を解消するためのもので、その目的とするところは、床材を簡単かつ綺麗にワンタッチで形成できるとともに、床材の浮きを規制し、かつ床材の長さ方向への滑り動きも確実に規制できるようにした床材敷設具を提供することにある。
【０００６】
上記目的を達成するため、本発明は、左右縁に上向き突子を連続して設け、底部上面の等配位置に、頭部寄り前後面にバネ性を有する下向き突片を備えた扁平状の立部材を立設してなる長尺板材を、平行設置した枠部材の各上面に前記立部材が同一線上に並ぶように固定し、該立部材間に扁平長尺な床材をその側面に前記立部材の下向き突片が食い込むように嵌入したことを特徴とし、床材はワンタッチにて敷設できる。また、床材の側面には前記立部材の頭部寄り前後面に設けた下向き突片が食い込んで浮き上がりを確実に防止できる。さらに、床材は長尺板材の左右縁に設けた上向き突子により長さ方向へのすべりを確実に防止できるように構成した。
【０００７】
また、請求項２に記載の発明は、前記立部材が、バネ性を有する金属板を逆Ｕ字状に曲げ、両端部に外側に屈曲した足を設け、該足を前記長尺板材の底部に設けた透孔に係止したものであることを特徴とし、前記立部材と長尺板材とをあとから組み立てられるように構成した。
【発明の効果】
【０００８】
本発明によれば、家屋のベランダ、テラス、庭内の散歩道或いは渡り廊下などに床材を敷きつめる場合において、底部上面の等配位置に、頭部寄り前後面にバネ性を有する下向き突片を備えた扁平状の立部材を立設してなる長尺板材を、平行設置した枠部材の各上面に前記立部材が同一線上に並ぶように固定してから、前記長尺板材に直交するように床材を渡しつつ同一線上に並ぶ立部材間に嵌入するのみでワンタッチにて敷設することができる。このとき、前記立部材の頭部寄りの前後面に設けたバネ性を有する下向き突片が床材の側面に食い込んで床材の浮き上がりを確実に防止できる。また、長尺板材の両縁部に設けた上向き突子が床材の下面に接しているから床材がその長さ方向へのすべりを確実に防止できる。しかも、敷詰められている床材が何らかの理由により修理や交換が必要となった場合において、床材側面に食い込んでいる下向き突片をヘラ状の器具を差し込んで食い込みを解除すれば、その床材のみを容易に取り外すことも可能になるなど各種の優れた効果を奏するものである。
【０００９】
また、請求項２に記載の発明によれば、前記立部材が、バネ性を有する金属板を逆Ｕ字状に曲げ、両端部に外側に屈曲した足を設け、該足を前記長尺板材の底部に設けた透孔に係止することにより両者はあとから組み立てられるから、床材の敷きつめ工事に際して、立部材と長尺板材を現場に別個に嵩張らずに運搬できる。しかも、両者の組み立てに際して溶接を不要とするなど、各種の優れた効果を奏するものである。
【発明を実施するための最良の形態】
【００１０】
次に、本発明の実施の態様を添付図面に基づいて説明する。図１は本願床材敷設具を用いた床材の敷設状態を示す斜視図、図２は立部材を展開して示した平面図、図３は立部材を組み立てた状態を示す側面図、図４は長尺板材の底部に設けた透孔と立部材の足との関係を示す斜視図、図５は立部材の頭部寄りに設けた下向き突片の作用を示す側面図、図６は床材の敷設状態を示す平面図、図７は床材の敷設状態を示す正面図である。
【００１１】
本願床材敷設具１は、図１の如く、スチールなどの金属材料からなる長尺板材２の左右縁に上向き突子３を連続して設け、底部上面の等配位置に立部材４を設けている。該立部材４はその頭部寄りにバネ性を有する下向き突片５を備えている。しかして、前記立部材４、４間に、扁平長尺の床材６を嵌入すると、前記下向き突片５が、そのバネに抗して通過し、前記床材６の側面に食い込むように作用し、浮き上がりが防止される。
【００１２】
前記長尺板材２は、平行設置した枠部材（基礎枠）７の各上面に、例えば、ネジ２ａにより固定される。このとき、前記長尺板材２の底部に設けた立部材４が同一線上に並ぶようにする。しかして、前記床材６を、前記長尺板材２に直交し、しかも、前記立部材４、４間に嵌入すると、床材６はその側面が下向き突片５に噛み合うことからワンタッチで敷設（敷詰め）される。このとき、床材６は前記長尺板材２の左右縁に設けた上向き突子３の上に直交状に乗ることから床材６は長さ方向へすべることが確実に防止される。
【００１３】
前記上向き突子３は、図1又は図４では一定隙間をあけて連続しているが、鋸刃状に隙間なく連続して設けてもよい。また、頂端を鋭く尖らせているが、頂端を丸くしても、富士山頂のようにし、床材６に食い込まなくてもすべりに対する抵抗になればよい。
【００１４】
前記立部材４は、図２の如く、バネ性を有する金属板を打ち抜いて方形板４ａを得、その中央部より、逆Ｕ字状に曲げ（図３）、その曲げ部４ｂの近傍に、台形状の切込み４ｃを設けるとともに方形板４ａの両端部を一点鎖線で示した位置より外側に直角状に折って足４ｄ、４ｄを形成する。前記台形状の切込み４ｃは外側へ押出すときに、若干反らせることにより前記下向き突片５として機能する。
【００１５】
前記立部材４はその足４ｄ、４ｄを、図４の如く、長尺板材２の底部に設けた透孔８の下側から通すことにより組み立てできる。この場合において、足４ｄ、４ｄは、図５の如く、枠部材（基礎枠）７の上面と、長尺板材２の下面とにはさまれるので、特に、溶接などにより固定していなくともよい。勿論、立部材４の高さの調節を必要とするが長尺板材２の底部上面に直に溶接してもよい。
【００１６】
前記立部材４、４間に嵌入した床材６、６は、その側面に対する前記下向き突片５、５の食い込みにより固定（浮き上がりの防止）されるが、この下向き突片５、５を、図５の如く、ヘラ状の器具９を、立部材４と床材６との間に差し込んで前記食い込みが解除すれば床材６を簡単に取り除くことができる。すなわち、敷詰められている床材６の一部が、何らかの理由により修理や交換を必要とするような場合においてどこからでも１つの床材のみを取り除くことができる。
【００１７】
前記床材６は、木製又は合成木材製である。合成木材としては、例えば、ペーパースラッジと廃プラスチックとポリプロピレンを混合溶融して押出成型したものでもよい。合成木材は腐食しにくい点で家屋のベランダ、テラス、デッキ、庭内の散歩道或いは渡り廊下などに使用して好適である。図１に示す床材６は合成木材のうち、複数の支柱で仕切られた中空のものを示しているが、無垢のものでもよい。
【００１８】
前記床材６は、前記長尺板材２の等配位置に設けた立部材４、４間に嵌入できる横巾を有している。勿論、床材６の横巾に合わせて立部材４、４の間隔を決定してもよい。前記床材６は、その両側面の肉厚中央に窪み６ａを長さ方向に沿って有している。該窪み６ａは最も外側に並ぶ床材６の位置を確定（固定）する場合において、長尺板材２の端部から延出した鉤型部材１０に、図１の如く、嵌入させることにより固定することもできる。勿論、最も外側に並ぶ床材６の固定には図示していない他の方法もある。
【００１９】
次に、本願床材敷設具１の作用を説明する。まず、左右縁に高さ１．５ｍｍの上向き突子（尖端を有する）３を、１ｃｍ間隔で連続して設け、かつ、底部上面に長方形透孔８を長さ方向に直交して１２５ｃｍｍ間隔で設けて長尺部材２を得る。次いで、予め、バネ性を有する金属板（０．５ｍｍ
厚）を打ち抜いて得た方形板４ａをその中央部より逆Ｕ字状に曲げ、その曲げ部４ｂの近傍に設けた切込み４ｃから下向き突片５を形成し、両端部を端縁から８ｍｍの位置（一点鎖線）より外側に直角状に谷折りして足４ｄ、４ｄを形成する。
【００２０】
次いで、組み立てた立部材４を、前記長尺部材２の透孔８にその下から頭側を先にして通して聳立させた後、該長尺部材２を枠部材（基礎枠）７の上面に重ねてネジ止めする。そして枠部材７を５０ｃｍ間隔で平行に３列に設置する。この場合、長尺部材２の端部には厚さ１ｍｍの金属板を鉤状に曲げてなる鉤型部材１０を延出（固定）させている。
【００２１】
次いで、巾１２０ｃｍ、厚さ３ｃｍｍ、厚さ方向に中間に溝巾１．５ｍｍの窪み７ａを有する長さ１０００ｃｍの床材６を、３つの長尺板材２、２、２を跨ぐように渡すとともに、最も左端に位置する第１床材６Ａの一側の窪み７ａを、前記鉤型部材１０の先端に挿し込み、この状態で第１床材６Ａの他側を、立部材４に強く嵌入する。この嵌入により第１床材６Ａの下面は長尺板材２の左右縁にある上向き突子３に接触するとともに、他側は立部材４の下向き突片５の作用により浮き上がらないように固定される。
【００２２】
次いで、第２床材６Ｂは隣接する立部材４、４との間に強く嵌入する。この嵌入により第２床材６Ｂの両側は、対向する立部材４の下向き突片５のバネ力に抗して通過し、通過後復帰した下向き突片５に強く接しワンタッチにより浮き上がりをしない状態で固定される。以降、第３床材６Ｃ及び第４床材６Ｄの如く次々と嵌入することにより敷設（敷きつめる）されることとなる（図６、図７参照）。
【００２３】
かくして、敷設（敷きつめ）された床材６は、長尺板材２の左右縁に設けた上向き突子３が床材６の下面に当たっているため、長さ方向へのすべり現象は確実に防止される。従って、敷詰めた床材６に人が乗った瞬間、或いは、急ぎ足で歩くか、走ったとしても床材６がその長さ方向（矢印イ、ロ方向）に滑り動くことがなく、安全である。
【００２４】
また、敷設された床材６は、立部材４、４…を介して平らに敷きつめられているため、通常では中間部にある１つの床材６のみを取り外すことはできないが、何らかの理由により割れや欠けが生じてしまい、修理或いは交換のために、取り外す必要が生じた場合、対応する床材６を固定している立部材４、４…の下向き突片５をヘラ状の器具９を差し込んで床材６への食い込みを解除すれば、対応する床材６のみを容易に取り外すことが可能になる。
【産業上の利用可能性】
【００２５】
本願床材敷設具は、家屋のベランダ、テラス、デッキ、庭（公園や邸内）の散歩道或いは渡り廊下などに木製又は合成木材製の床材を簡単かつ綺麗に敷設し、快適空間を作製できるようにしたもので、木造建築分野、鉄筋コンクリート建築分野、土木分野などにおいて、多いに利用可能性があるものである。
【図面の簡単な説明】
【００２６】
【図１】本願床材敷設具を用いた床材の敷設状態を示す斜視図である。
【図２】立部材を展開して示した平面図である。
【図３】立部材を組み立てた状態を示す側面図である。
【図４】長尺板材の底部に設けた透孔と立部材の足との関係を示す斜視図である。
【図５】立部材の頭部寄りに設けた下向き突片の作用を示す側面図である。
【図６】床材の敷設状態を示す平面図である。
【図７】床材の敷設状態を示す正面図である。
【図８】従来例を示す斜視図である。
【符号の説明】
【００２７】
１  本願床材敷設具
２  長尺板材
２ａ  ネジ
３  上向き突子
４  立部材
４ａ  方形板
４ｂ  曲げ部
４ｃ  下向き突片用の切込み
４ｄ、４ｄ  足
５  下向き突片
６  床材
６ａ  窪み
６Ａ  第１床材
６Ｂ  第２床材
６Ｃ  第３床材
６Ｄ  第４床材
７  基礎枠
８  透孔
９  ヘラ状の器具
１０  鉤型部材
【図１】
2015042826.tif 000003
【図２】
2015042826.tif 000004
【図３】
2015042826.tif 000005
【図４】
2015042826.tif 000006
【図５】
2015042826.tif 000007
【図６】
2015042826.tif 000008
【図７】
2015042826.tif 000009
【図８】
2015042826.tif 000010